(57)【特許請求の範囲】
【請求項１】
金属製板製屋根板材の葺きによる屋根の施工に用いる、屋根側端部延長方向外方に張り出した屋根板材の引っ掛け部を有する唐草であって、該唐草は一枚の金属製板が折り曲げられることにより形成されており、その折り曲げによって、屋根側端部の端面である屋根側端面に固定するための側端固定部と、該側端固定部から連続して設けられる、該側端固定部と該屋根側端面との接合部分を屋根側端部側から建物外壁面内部側に向かって被覆しかつ、先端部を鉤状とした該屋根板材を引っ掛けて固定するための被覆構造部と、および、該被覆構造部から連続して設けられ、屋根側端部側への折り返しとそれに連続する外壁面内部側への折り返しにより形成される、下方からの水の進入を防止する防御壁とするための復折り返し構造部とを有し、該復折り返し構造部は一または二以上設けられ、少なくともその一は軒の出またはケラバの出よりも内側の位置に設けられており、また、該側端固定部は、該屋根側端面および該屋根側端部の下面からなる角部を被覆できるように、その下部が折り曲げられて略Ｌ字状に形成されており、また、該側端固定部の、屋根側端部下面を被覆する部分から連続して垂下し、垂下した先端部は内側上方に略V字状に折り曲げられた折り返し部を有する、建物側面方向からの水の進入を防止するための垂下部が設けられていることを特徴とする、唐草。
【請求項２】
前記屋根側端部は軒先であり、軒先唐草として用いることができることを特徴とする、請求項１に記載の唐草。
【請求項３】
前記屋根側端部はケラバであり、ケラバ唐草として用いることができることを特徴とする、請求項１に記載の唐草。
【請求項４】
前記金属製板は、銅板製または鋼板製の板であることを特徴とする、請求項１ないし３のいずれかに記載の唐草。
【請求項５】
前記金属製板の材質は、本唐草が用いられる屋根板材と同じ材質であり、前記復折り返し構造部には該屋根板材を引っ掛けて葺くことができ、屋根板材を兼ねることのできることを特徴とする、請求項１ないし４のいずれかに記載の唐草。
【発明の詳細な説明】
【技術分野】
【０００１】
この発明は、唐草に係り、特に、金属製板製屋根板材の葺きによる屋根の施工に用いて効果的に水漏れを防止でき、それにより建築物の木造部分の腐朽を効果的に防止でき、もって建築物の耐久性を大いに向上させることのできる、唐草に関する。
【背景技術】
【０００２】
住宅等の建築物においては、屋根側端部の保護、特に防水のために、軒先やケラバに唐草が取り付けられ、その上に、トタン板等の屋根板材が葺かれる。
図８は、旧来の唐草の概略構成を示す側面図である。図に示されるように、旧来の唐草９１はその構造が単純であり、屋根側端部９５の横方向からの風雨等降水に対しても、また屋根上方からの降水に対しても、防水性は不充分である。つまり、屋根上方からの水は、屋根板材９３ａと９３ｂの間、屋根板材９３ｂと９３ｃの間などから、内部に進入し得る。そして旧来の唐草９１とこれが固定される屋根側端部９５の上方には屋根板材９３ａの他には何ら防水手段がないため、屋根板材９３ａ等の下部に進入した水は、唐草９１と屋根側端部９５との隙間に浸み込み得る。また、屋根側方から吹き付ける風雨などによる水の進入は、単に唐草９１の下部を多少延長した構成のみでは防ぐことはできない。
【０００３】
たとえば、旧来の唐草を用いた木造住宅の軒先では、雨漏りが生じたり、建造から年数が経つほど軒先部分の腐朽が進行したりすることがある。特に積雪地帯においては、冬季間の屋根上の積雪から生じる水の浸透によって、屋根板、垂木、鼻隠し、破風などの木材部分の腐朽が生じやすく、屋根の耐久性を損ねている。実際、かかる環境における木造住宅では、屋根の寿命は、たとえば２０〜３０年程度のように、極めて短期間なものとして評価せざるを得ない例が少なくない。その原因はつまり、屋根構造、特に唐草と屋根の葺き方における防水性の不充分である。かかる問題の解決を目的とした提案が従来どのようになされているかを知るため、下記条件により検索調査を行った。
【０００４】
特許庁ホームページ上の特許電子図書館（ＩＰＤＬ）の、特許実用新案公報テキスト検索メニューを用い、下記条件にて検索した。
検索式：要約＋特許請求の範囲＝屋根ａｎｄ唐草ａｎｄ（防水ｏｒ耐水ｏｒ雨漏り）
検索対象：公開特許公報。
検索結果：公開特許公報  ヒット件数１７件
検索日：平成１５年８月１１日
【０００５】
このうち、特開２０００−２２６９１４号公報「葺上屋根の軒先唐草」には、軒先唐草に吹きつけられる雨水の浸入防止等を目的として、野地板側に当接する支持基部の一端側を立ち上げて設けた立上部、立上部に設けた突出部を介して設けた垂下壁面を有する構成が提案されている。また、特開平８−３３３８５３号公報「縦葺き屋根の軒先構造」には、浸入する雨水の確実な排出を目的として、逆Ｌ字形の取付部と、中空の枠部と、コ字形の屋根受部とを一体に形成した軒先唐草が提案されている。また、特開平５−１９５６０６号公報「唐草」には、屋根内部に浸入した雨水の放出等を目的として、二種の部材を組み合わせて用いる長尺状の唐草が提案されている。
【０００６】
【特許文献１】特開２０００−２２６９１４号公報「葺上屋根の軒先唐草」。特許請求の範囲、要約。
【特許文献２】特開平８−３３３８５３号公報「縦葺き屋根の軒先構造。特許請求の範囲、要約。」
【特許文献３】特開平５−１９５６０６号公報「唐草」。特許請求の範囲、要約。
【発明の開示】
【発明が解決しようとする課題】
【０００７】
しかし、これら従来技術は、ある程度の水漏れは想定した上でその排水技術を要素として組み込んでいるか、または、防水のための構成が複雑である。あるいは構成要素の多さがかえって水の進入経路を生じさせてしまうという欠点も見てとれる。より簡易な構成によって、屋根上部、側面部からの水の進入を効果的に防止できる技術が必要である。
本発明の課題は、かかる従来技術の問題点を解決し、特に金属製板製屋根板材の葺きによる屋根の施工に用いて効果的に水漏れを防止でき、それにより建築物の木造部分の腐朽を効果的に防止でき、もって建築物の耐久性を大いに向上させることのできる唐草を提供することである。
【課題を解決するための手段】
【０００８】
本願発明者は上記課題を解決するために鋭意検討した結果、従来技術では構成中に部分間の継ぎ目が多く存在していることを発見し、一枚物の板を折り曲げ加工することのみによって水漏れ防止の効果を高めることが可能であることに想到し、本発明に至った。すなわち本願において特許請求される発明は、以下のとおりである。
（１）  金属製板製屋根板材の葺きによる屋根の施工に用いる、屋根側端部延長方向外方に張り出した屋根板材の引っ掛け部を有する唐草であって、該唐草は一枚の金属製板が折り曲げられることにより形成されており、その折り曲げによって、屋根側端部の端面である屋根側端面に固定するための側端固定部と、該側端固定部から連続して設けられる、該側端固定部と該屋根側端面との接合部分を屋根側端部側から建物外壁面内部側に向かって被覆しかつ、先端部を鉤状とした該屋根板材を引っ掛けて固定するための被覆構造部と、および、該被覆構造部から連続して設けられ、屋根側端部側への折り返しとそれに連続する外壁面内部側への折り返しにより形成される、下方からの水の進入を防止する防御壁とするための復折り返し構造部とを有し、該復折り返し構造部は一または二以上設けられ、少なくともその一は軒の出またはケラバの出よりも内側の位置に設けられており、また、該側端固定部は、該屋根側端面および該屋根側端部の下面からなる角部を被覆できるように、その下部が折り曲げられて略Ｌ字状に形成されており、また、該側端固定部の、屋根側端部下面を被覆する部分から連続して垂下し、垂下した先端部は内側上方に略V字状に折り曲げられた折り返し部を有する、建物側面方向からの水の進入を防止するための垂下部が設けられていることを特徴とする、唐草。
（２）  前記屋根側端部は軒先であり、軒先唐草として用いることができることを特徴とする、（１）に記載の唐草。
（３）  前記屋根側端部はケラバであり、ケラバ唐草として用いることができることを特徴とする、（１）に記載の唐草。
（４）  前記金属製板は、銅板製または鋼板製の板であることを特徴とする、（１）ないし（３）のいずれかに記載の唐草。
（５）  前記金属製板の材質は、本唐草が用いられる屋根板材と同じ材質であり、前記復折り返し構造部には該屋根板材を引っ掛けて葺くことができ、屋根板材を兼ねることのできることを特徴とする、（１）ないし（４）のいずれかに記載の唐草。
【０００９】
（４）  前記屋根側端部は軒先であり、軒先唐草として用いることができることを特徴とする、（１）ないし（３）のいずれかに記載の唐草。
（５）  前記屋根側端部はケラバであり、ケラバ唐草として用いることができることを特徴とする、（１）ないし（３）のいずれかに記載の唐草。
（６）  前記金属製板は、銅板製または鋼板製の板であることを特徴とする、（１）ないし（５）のいずれかに記載の唐草。
（７）  前記金属製板の材質は、本唐草が用いられる屋根板材と同じ材質であり、前記復折り返し構造部には該屋根板材を引っ掛けて葺くことができ、屋根板材を兼ねることのできることを特徴とする、（１）ないし（６）のいずれかに記載の唐草。
【発明の効果】
【００１０】
本発明の唐草は上述のように構成されるため、これによれば、金属製板製屋根板材の葺きによる屋根の施工に用いて効果的に水漏れを防止することができる。また、それにより建築物の木造部分の腐朽を効果的に防止することができる。そしてその結果、建築物の耐久性を大いに向上させることができる。特に積雪地帯などにおける木造住宅等においても、これらの効果を大いに発揮できる。しかもこれらの効果を、一枚物の金属製板を折り曲げ加工することのみにより得ることができ、製造コスト上、製造工程上も有利である。
【発明を実施するための最良の形態】
【００１１】
以下、本発明について図を用いて説明する。
図１は、本発明の唐草の構成を示す側面図である。図において本唐草１は、金属製板製屋根板材の葺きによる屋根の施工に用いられる屋根側端部延長方向外方に張り出した屋根板材の引っ掛け部を有する唐草であって、該唐草１は一枚の金属製板が折り曲げられることにより形成されており、その折り曲げによって、屋根側端部５の端面である屋根側端面５１に固定するための側端固定部１１と、該側端固定部１１から連続して設けられておりかつ、該側端固定部１１と該屋根側端面５１との接合部分を屋根側端部５側から建物外壁面内部８側（すなわち、建物の中心側）に向かって被覆しかつ、先端部を鉤状とした該屋根板材を引っ掛けて固定するための被覆構造部１３と、および、該被覆構造部１３から連続して設けられておりかつ、屋根側端部５側への折り返しとそれに連続する外壁面内部８側への折り返しにより形成される復折り返し構造部１５とを有し、該復折り返し構造部１５は一または二以上設けられ、少なくともその一は軒の出またはケラバの出よりも内側の位置に設けられていることを、主たる構成とする。図においては、該復折り返し構造部１５は二つ設けられているが、一のみでもよい。また、一の復折り返し構造部１５と、それに連続して他の折り返し構造部が設けられる構成でもよい。ここで、他の折り返し構造部とは、たとえば、屋根側端部５側への折り返しのみからなり、それに連続する外壁面内部８側への折り返しがない折り返し構造が挙げられる。
【００１２】
図において本唐草１は上述のように構成されるため、トタン板等の鋼板や銅販など適宜の金属製板を用い、一枚物の金属製板を折り曲げ加工することのみにより形成することができる。その折り曲げによって本唐草１は、一枚物から、該側端固定部１１−被覆構造部１３−復折り返し構造部１５が連続して形成された構成をとる。そして、該側端固定部１１は屋根側端部５の端面である屋根側端面５１に固定されて本唐草１全体の固定手段の一つとなり、該被覆構造部１３は該側端固定部１１と該屋根側端面５１との接合部分を屋根側端部５側から建物外壁面内部８側に向かって被覆することによって、従来の屋根構造で見られた唐草・屋根板材の各部材間の継ぎ目から進入し得る水が本唐草１を超えて木材部分に入り込まないような水漏れ防止効果の高い被覆がなされる。さらに該復折り返し構造部１５は、屋根板材の葺きから進入し得る水が、本唐草１で被覆された屋根側端部５に進入しないように、本唐草１下方から這い上がり得る水をそれ以上這い上がらせない防御壁の作用を果たす。その効果は、該復折り返し構造部１５を一設けることにより奏されるが、連続して二設けることにより、一層効果を高めることができる。もちろん三以上設けてもよいが、製造コストと防水効果を総合評価すれば、望ましい該復折り返し構造部１５の数として、これを二とすることができる。
【００１３】
図において、本唐草１の屋根側端部５への固定は前記側端固定部１１を屋根側端面５１に打ち付ける等の手段により行われるが、本唐草１の固定はこの部分においてのみではなく、復折り返し構造部１５のある部分においても行うことができることはいうまでもない。以下においても同様である。
【００１４】
図において本唐草１を、一の復折り返し構造部１５と、それに連続して外壁面内部８側への折り返しがない折り返し構造を設けたものとした場合、該復折り返し構造部１５を二設ける場合と比較すれば、製造工程はより単純になり、製造コストも低減することができる。
【００１５】
図１のように本唐草１は、前記側端固定部１１を、前記屋根側端面５１および前記屋根側端部５の下面５２からなる角部を被覆できるように、その下部が折り曲げられて略Ｌ字状に形成されたものとすることができる。また、該側端固定部１１の屋根側端部下面５２を被覆する部分から連続して垂下する垂下部１６を設けた構成とすることもできる。該垂下部１６の先端は、Ｖ字状に折り返し部を設けることができる。
【００１６】
かかる構成により、建物側面方向から吹き付ける風雨のように、横方向から屋根構造への水の進入は、前記Ｌ字状の部分で屋根側端面５１および下面５２を防水保護するととともに、該下面５２において建物外壁面内部８方向へ本唐草１による被覆が延長して水の進入経路が狭められ、かつ垂下部１６による防御壁的な作用がなされるため、効果的に防止される。さらに該垂下部１６の先端部をＶ字状に内側に折り曲げた形状とすることにより、水の進入する経路は一層狭められて、水の進入防止効果は、一層高められる。
以上説明した本発明唐草１は、特に軒先唐草用途として用いることができる。
【００１７】
図２は、本発明唐草の別の構成を示す側面図である。図において本唐草２１は、ケラバである屋根側端部５５に対して、すなわち特に、ケラバ唐草として用いることができる。前記復折り返し構造部２５が一のみ設けられていることを除けば、図１に示した唐草１と基本構成およびそれによる作用効果は同じである。
【００１８】
以上説明した本発明唐草は、その材質を特に、銅板製または鋼板製の板とすることができる。トタン板など鋼板は従来多く用いられているが、防水効果、耐久性の点では、銅板の利用がより望ましい。
【００１９】
図３は、図１の唐草を用いた場合の屋根板材の葺き方を示す側面図である。図のように、屋根板材３０ａを本唐草１の被覆構造部（１３）の突出部分に引っ掛け、該屋根板材３０ａには屋根板材３０ｂを引っ掛け、というように、屋根の葺きがなされる。かかる屋根の葺き方において、本唐草１は従来と比較して簡易な構成による高い水漏れ防止効果を発揮する唐草として用いることができる。
【００２０】
図４は、図１の唐草を用いた場合の屋根板材の別の葺き方を示す側面図である。図のように本発明唐草１を用いると、屋根板材３４ａを本唐草１の復折り返し構造部（１５）の略Ｖ字状構造部分に引っ掛け、該屋根板材３４ａには屋根板材３４ｂを引っ掛け、というように、屋根の葺きを行うことができる。かかる屋根の葺き方において、本唐草１は従来と比較して簡易な構成による高い水漏れ防止効果を発揮する唐草としての機能に加え、先端部分に設けられる屋根板材としても用いることができる。すなわち、屋根板材を兼ねる唐草として用いることができる。この場合、唐草と屋根板材はたとえば同じ規格の銅板を用いるなど、同じ材質、規格、色彩のものを用いることによって、一体性のある屋根を構成することができる。
【実施例】
【００２１】
以下、本発明の実施例を説明するが、本発明がこれら実施例に限定されないことはいうまでもない。
＜実施例１＞
銅板の一枚物を折り曲げ加工して、復折り返し構造部を二箇所備えた唐草を製作した。
図６は、本例唐草の断面構成を示す説明図である。図中、まる付き数字で示される各片は、次のような寸法とした。
まる付き数字１：１ｃｍ、同２：２ｃｍ、同３：１０ｃｍ、同４：２ｃｍ、同５：１０ｃｍ、同６：２ｃｍ、同７：５ｃｍ、同８：２ｃｍ、同９：２ｃｍ、同１０：１ｃｍ、  合計３７ｃｍ。
本例唐草を軒先唐草として用いて屋根を葺いたところ、従来問題であった垂木、破風、鼻隠し、その他の木材部分の腐朽を極めて効果的に防止できることが確認された。
【００２２】
＜実施例２＞
銅板の一枚物を折り曲げ加工して、復折り返し構造部を一箇所備えた唐草を製作した。
図７は、本例唐草の断面構成を示す説明図である。図中、まる付き数字で示される各片は、次のような寸法とした。
まる付き数字１：１ｃｍ、同２：５ｃｍ、同３：２ｃｍ、同４：１５ｃｍ、同５：２ｃｍ、同６：４ｃｍ、同７：１ｃｍ、  合計３０ｃｍ。
本例唐草をケラバ唐草として用いて屋根を葺いたところ、これも、木材部分の腐朽を極めて効果的に防止できることが確認された。
【００２３】
＜実施例３＞
銅板の一枚物を折り曲げ加工して、実施例２とは異なる仕様で、復折り返し構造部を一箇所備えた唐草を製作した。
図８は、本例唐草の断面構成を示す説明図である。図中、まる付き数字で示される各片は、次のような寸法とした。
まる付き数字１：１ｃｍ、同２：２ｃｍ、同３：２ｃｍ、同４：５ｃｍ、同５：２ｃｍ、同６：１５ｃｍ、同７：２ｃｍ、同８：５ｃｍ、同９：１ｃｍ、  合計３５ｃｍ。
本例唐草をケラバ唐草として用いて屋根を葺いたところ、これも、木材部分の腐朽を極めて効果的に防止できることが確認された。
【産業上の利用可能性】
【００２４】
以上のとおり、本発明の唐草によれば、金属製板製屋根板材の葺きによる屋根の施工に用いて効果的に水漏れを防止することができる。また、それにより建築物の木造部分の腐朽を効果的に防止することができる。そしてその結果、建築物の耐久性を大いに向上させることができる。特に積雪地帯などにおける木造住宅等においても、これらの効果を大いに発揮できる。しかもこれらの効果を、一枚物の金属製板を折り曲げ加工することのみにより得ることができ、製造コスト上、製造工程上も有利であり、産業上の利用性が高い。
【図面の簡単な説明】
【００２５】
【図１】本発明唐草の構成を示す側面図である。
【図２】本発明唐草の別の構成を示す側面図である。
【図３】図１の唐草を用いた場合の屋根板材の葺き方を示す側面図である。
【図４】図１の唐草を用いた場合の屋根板材の別の葺き方を示す側面図である。
【図５】実施例１の唐草の断面構成を示す説明図である。
【図６】実施例２の唐草の断面構成を示す説明図である。
【図７】実施例３の唐草の断面構成を示す説明図である。
【図８】旧来の唐草の構成を示す側面図である。
【符号の説明】
【００２６】
１、２１…唐草
５、５５…屋根側端部
８…建物外壁面内部
１１、２１…側端固定部
１３、２３…被覆構造部
１５、２５…復折り返し構造部
１６、２６…垂下部
３０ａ、３０ｂ、３０ｃ、３４ａ、３４ｂ…屋根板材
５１…屋根側端面
５２…屋根側端部の下面
９１…唐草
９３ａ、９３ｂ、９３ｃ…屋根板材
９５…屋根側端部
【要約】
【課題】  金属製板製屋根板材の葺きによる屋根の施工に用いて効果的に水漏れを防止できる唐草を提供すること。
【解決手段】  唐草１は、一枚の金属製板が折り曲げられることにより形成されており、その折り曲げによって、屋根側端部５の端面である屋根側端面５１に固定するための側端固定部１１と、側端固定部１１から連続して設けられておりかつ側端固定部１１と屋根側端面５１との接合部分を屋根側端部５側から建物外壁面内部８側に向かって被覆するための被覆構造部１３と、被覆構造部１３から連続して設けられておりかつ屋根側端部５側への折り返しとそれに連続する外壁面内部８側への折り返しにより形成される、一または二以上の復折り返し構造部１５とを有することを、主たる構成とする。
【選択図】    図３
【図１】
0003629554.tif 000002
【図２】
0003629554.tif 000003
【図３】
0003629554.tif 000004
【図４】
0003629554.tif 000005
【図５】
0003629554.tif 000006
【図６】
0003629554.tif 000007
【図７】
0003629554.tif 000008
【図８】
0003629554.tif 000009